(57)【特許請求の範囲】
【請求項１】
一方の無線局で基準クロックに同期した送信フレームと受信フレームからなるフレームを生成し、その送信フレームのタイミングで送信された信号を受信する他方の無線局に備えられ、１フレーム間隔の整数ｐ倍の間欠受信間隔を設定し、当該間欠受信間隔に応じたタイミングで受信回路の電源をオンオフする間欠受信装置において、
前記基準クロックより低速の待受用クロックと、
前記一方の無線局から送信された信号を受信し、前記送信フレームに同期したフレームタイミングを検出するフレームタイミング検出回路と、
ｋフレーム（ｋは１以上の整数）にわたる前記フレームタイミングの間隔を前記待受用クロックでカウントし、クロック数ｎで表されるｋフレームのフレームタイミング間隔を測定するフレームタイミング間隔測定回路と、
前記クロック数ｎで表されるｋフレームのフレームタイミング間隔を入力し、前記間欠受信間隔として前記待受用クロックのクロック数（（ｎ／ｋ）＊ｐ）を設定する間欠受信制御回路と
を備えたことを特徴とする間欠受信装置。
【請求項２】
一方の無線局で基準クロックに同期した送信フレームと受信フレームからなるフレームを生成し、その送信フレームのタイミングで送信された信号を受信する他方の無線局に備えられ、１フレーム間隔の整数ｐ倍の間欠受信間隔を設定し、当該間欠受信間隔に応じたタイミングで受信回路の電源をオンオフする間欠受信装置において、
前記基準クロックより低速の待受用クロックと、
前記待受用クロックより高速の高速クロックと、
前記一方の無線局から送信された信号を受信し、前記送信フレームに同期したフレームタイミングを検出するフレームタイミング検出回路と、
ｋフレーム（ｋは１以上の整数）にわたる前記フレームタイミングの間隔を前記待受用クロックでカウントし、さらにフレームタイミングと待受用クロック位相誤差を前記高速クロックでカウントし、それぞれのクロック数の和で表されるｋフレームのフレームタイミング間隔を測定するフレームタイミング間隔測定回路と、
前記それぞれのクロック数の和で表されるｋフレームのフレームタイミング間隔を入力し、前記高速クロックのクロック数で表される位相誤差を前記間欠受信間隔で累積したクロック数を前記待受用クロックのクロック数に換算したクロック数ｑを算出し、前記間欠受信間隔として前記待受用クロックのクロック数（（ｎ／ｋ）＊ｐ＋ｑ）を設定する間欠受信制御回路と
を備えたことを特徴とする間欠受信装置。
【請求項３】
請求項１または請求項２に記載の間欠受信装置において、
前記間欠受信制御回路は、前記間欠受信間隔に対応するフレームタイミング間隔を前記待受用クロックで実測し、そのフレームタイミング間隔を次の間欠受信間隔として設定する構成であることを特徴とする間欠受信装置。
【請求項４】
請求項１に記載の間欠受信装置において、
前記待受用クロックを構成する発振器または発振子を熱伝導特性の低い材質で囲む構成であることを特徴とする間欠受信装置。
【請求項５】
請求項２に記載の間欠受信装置において、
前記待受用クロックおよび前記高速クロックを構成する発振器または発振子を熱伝導特性の低い材質で囲む構成であることを特徴とする間欠受信装置。
【発明の詳細な説明】
【技術分野】
【０００１】
本発明は、送信側の無線局の送信タイミングを受信側の無線局で推定して受信待受期間を設定し、その間の電源オン／オフ制御を行う間欠受信装置に関する。
【背景技術】
【０００２】
図９は、従来の無線端末の構成例を示す。
図において、無線接続される基地局４０の送信回路４１と無線端末５０の受信回路５１は、それぞれ基準クロック４２，５２に応じて動作する。ここで、基地局４０の基準クロック４２の周波数をfh' 、無線端末５０の基準クロック５２の周波数をfh（＝fh'−Δfh)とすると、受信回路５１はＡＦＣ（自動周波数制御）回路を用いて基地局４０の基準クロック４２に対する自装置の周波数誤差Δfhを補正し、周波数同期をとって受信処理を行う。
【０００３】
また、基地局４０との間で間欠受信制御を行う無線端末５０の間欠受信制御回路５３は、受信待受期間を基準クロック５２または別途設けられる待受用クロック５４を用いて推定し、その間は受信回路５１の電源をオフにして消費電力の低減を図る。そして、再び送信フレームが到着するタイミングよりも少し前に、受信回路５１の電源を立ち上げる制御を行う（特許文献１）。
【０００４】
なお、無線端末５０で受信待受期間を決める基準クロック５２または待受用クロック５４と、基地局４０で送信タイミングを決める基準クロック４２との間には一般に周波数誤差があるため、無線端末５０ではその分を想定した余裕時間を設けて受信回路５１の電源をオンにする必要がある。特に、受信待受期間中の消費電力を低減するために、基準クロック５２に代えて低速かつ低消費電力の待受用クロック５４を用いる場合には、さらに周波数精度の低下に応じた十分な余裕時間を設ける必要がある。
【０００５】
一方、受信待受期間中は高精度発振回路を用いることにより、無線端末５０の余裕時間を短くする方法も提案されている（特許文献２）。ただし、高精度発振回路による消費電力増加と、余裕時間の短縮による消費電力低減のトレードオフになる。
【特許文献１】特許第３３２５４３４号公報
【特許文献２】特開平５−１４２２２号公報
【発明の開示】
【発明が解決しようとする課題】
【０００６】
間欠受信する無線端末５０の消費電力を低減するために、受信待受期間中は低速かつ低消費電力の待受用クロック５４を用いる方法では、基地局４０との周波数誤差が大きく送信信号に対応して推定される受信待受期間が不正確になる。したがって、その分を想定した十分な長さの余裕時間を設けて電源オフ中の各回路の電源を立ち上げる必要があり、その分だけ消費電力低減効果が相殺されていた。
【０００７】
本発明は、待受用クロックを用いながら受信待受期間の設定精度を高め、受信動作を再開するときの余裕時間を短くし、間欠受信による消費電力低減効果を高めることができる間欠受信装置を提供することを目的とする。
【課題を解決するための手段】
【０００８】
第１の発明は、一方の無線局で基準クロックに同期した送信フレームと受信フレームからなるフレームを生成し、その送信フレームのタイミングで送信された信号を受信する他方の無線局に備えられ、１フレーム間隔の整数ｐ倍の間欠受信間隔を設定し、当該間欠受信間隔に応じたタイミングで受信回路の電源をオンオフする間欠受信装置において、基準クロックより低速の待受用クロックと、一方の無線局から送信された信号を受信し、送信フレームに同期したフレームタイミングを検出するフレームタイミング検出回路と、ｋフレーム（ｋは１以上の整数）にわたるフレームタイミングの間隔を待受用クロックでカウントし、クロック数ｎで表されるｋフレームのフレームタイミング間隔を測定するフレームタイミング間隔測定回路と、クロック数ｎで表されるｋフレームのフレームタイミング間隔を入力し、間欠受信間隔として待受用クロックのクロック数（（ｎ／ｋ）＊ｐ）を設定する間欠受信制御回路とを備える。
【０００９】
第２の発明は、一方の無線局で基準クロックに同期した送信フレームと受信フレームからなるフレームを生成し、その送信フレームのタイミングで送信された信号を受信する他方の無線局に備えられ、１フレーム間隔の整数ｐ倍の間欠受信間隔を設定し、当該間欠受信間隔に応じたタイミングで受信回路の電源をオンオフする間欠受信装置において、基準クロックより低速の待受用クロックと、待受用クロックより高速の高速クロックと、一方の無線局から送信された信号を受信し、送信フレームに同期したフレームタイミングを検出するフレームタイミング検出回路と、ｋフレーム（ｋは１以上の整数）にわたるフレームタイミングの間隔を待受用クロックでカウントし、さらにフレームタイミングと待受用クロックの位相誤差を高速クロックでカウントし、それぞれのクロック数の和で表されるｋフレームのフレームタイミング間隔を測定するフレームタイミング間隔測定回路と、それぞれのクロック数の和で表されるｋフレームのフレームタイミング間隔を入力し、高速クロックのクロック数で表される位相誤差を間欠受信間隔で累積したクロック数を待受用クロックのクロック数に換算したクロック数ｑを算出し、間欠受信間隔として待受用クロックのクロック数（（ｎ／ｋ）＊ｐ＋ｑ）を設定する間欠受信制御回路とを備える。
【００１０】
また、間欠受信制御回路は、間欠受信間隔に対応するフレームタイミング間隔を待受用クロックで実測し、そのフレームタイミング間隔を次の間欠受信間隔として設定する構成としてもよい。
【００１１】
また、第１の発明の間欠受信装置は、待受用クロックを構成する発振器または発振子を熱伝導特性の低い材質で囲む構成である。また、第２の発明の間欠受信装置は、待受用クロックおよび高速クロックを構成する発振器または発振子を熱伝導特性の低い材質で囲む構成である。
【発明の効果】
【００１２】
本発明の間欠受信装置を備えた無線局では、一方の無線局が送信する信号を受信してフレームタイミングを検出し、そのフレームタイミング間隔を待受用クロックのクロック数で測定し、さらに間欠受信間隔を待受用クロックのクロック数として推定することにより、間欠受信間隔に対応する無線局の受信回路の起動タイミングを精度よく制御することができる。これにより、低消費電力の待受用クロックを用いながら、間欠受信間隔に対応して事前に受信回路の電源をオンにしておく余裕時間を短くすることができ、その結果として間欠受信における消費電力を低減することができる。
【００１３】
また、低速の待受用クロックで測定されるフレームタイミングと待受用クロックの位相誤差を高速クロックを用いて測定し、フレームタイミング間隔から推定される間欠受信間隔のクロック数を補正することにより、さらに受信回路の起動タイミングを精度よく制御することができる。
【００１４】
また、間欠受信間隔に対応するフレームタイミング間隔を待受用クロックで実測して次の間欠受信間隔として設定することにより、温度によって待受用クロックの周波数が変化しても、それによるタイミングの誤差を低減することができる。
【００１５】
また、待受用クロックや高速クロックを構成する発振器または発振子を熱伝導特性の低い材質で囲む構成とすることにより、周囲の急激な温度変化に対して発振器または発振子の温度変化を緩やかにし、待受用クロックや高速クロックを安定に動作させることができる。これにより、フィルタタイミング間隔の測定に基づく間欠受信間隔の推定や、間欠受信間隔に対応するフレームタイミング間隔の実測値の精度を高めることができる。
【発明を実施するための最良の形態】
【００１６】
（第１の実施形態）
図１は、本発明の間欠受信装置の第１の実施形態を示す。
図１において、基地局４０の送信回路４１は、基準クロック(fh'）４２に同期した送信フレームおよび受信フレームからなるフレームを生成し、その送信フレームのタイミングで無線端末１０宛の送信信号を送信する。図２(a) は基地局４０の動作例を示し、基準クロックfh' 、フレームおよび送信信号の関係を示す。１フレームの時間長であるフレーム間隔Ｔf'は無線システムで決まる一定値である。
【００１７】
無線端末１０は、受信回路１２にフレームタイミング検出回路１３を備え、さらに待受用クロック１４、フレームタイミング間隔測定回路２０および間欠受信制御回路２１を備える。フレームタイミング検出回路１３は、基地局４０からの送信信号を受信し、送信フレームに同期したフレームタイミングflt を検出する。フレームタイミング間隔測定回路２０は、フレームタイミング検出回路１３で検出されたフレームタイミングflt の間隔を待受用クロック（fl）１４で測定する。間欠受信制御回路２１は、測定したフレームタイミング間隔Ｔflt の整数倍の間欠受信間隔を推定し、それに従って受信回路１２の電源オン／オフのタイミングを制御する
【００１８】
図２(b) は無線端末１０のフレームタイミング間隔測定回路２０の動作例を示し、１フレームのフレームタイミング間隔Ｔflt の測定原理を示す。フレームタイミングflt は、フレームの始点を示すタイミングである。例えば、受信信号のヘッダ部のプリアンブルを利用したフレーム同期によってフレームタイミングflt を求めることができる。一般に、フレームタイミングを検出する際は、受信回路１２に内蔵の周期の短い高速クロックを使用するため、基地局側で設定されるフレームタイミングと、無線端末側で検出されるフレームタイミングの時間的誤差は、本発明の間欠受信制御に対して非常に小さく無視できる。
【００１９】
フレームタイミング間隔Ｔflt は、検出されたフレームタイミングflt の時間間隔であり、例えば１つ目のフレームタイミングflt で待受用クロックflをカウントするカウンタを起動し、２つ目のフレームタイミングflt でカウンタを停止したときに、待受用クロックfl（周期１／fl）で測定したクロック数をｎとすれば
Ｔflt ＝（１／fl）＊ｎ
として測定される。なお、毎フレームを受信してフレームタイミングflt を検出する場合はフレーム間隔Ｔf'とフレームタイミング間隔Ｔflt は等しくなるが、フレームを間欠受信する場合のフレームタイミング間隔Ｔflt はフレーム間隔Ｔf'よりも長くなる。また、待受用クロックflは、フレームタイミングの検出に用いる高速クロックよりも周波数が低い低速クロックであり、消費電力も小さい。
【００２０】
以下、フレームタイミング間隔測定回路２０および間欠受信制御回路２１における間欠受信制御について図３および図４を参照して説明する。図３は、１フレームのフレームタイミング間隔Ｔflt の測定から間欠受信間隔を推定する場合を示す。
【００２１】
間欠受信間隔は、一般にフレーム間隔Ｔf'の整数ｐ倍に設定される。フレーム間隔Ｔf'は、図２および図３に示すように１フレームのフレームタイミング間隔Ｔflt(＝(1/fl)＊ｎ) として測定されるので、
間欠受信間隔＝Ｔflt ＊ｐ
＝(1/fl)＊ｎ＊ｐ
と表すことができる。すなわち、間欠受信間隔は、１フレームのフレームタイミング間隔Ｔflt に相当する待受用クロックflのクロック数ｎのｐ倍となる。
【００２２】
例えば、待受用クロックfl＝10ｋHz、フレーム間隔Ｔf'＝１秒の場合に、１フレームのフレームタイミング間隔Ｔflt は、クロック数ｎ＝10000 として検出される。ここで、間欠受信間隔が10秒（フレーム間隔の10倍（ｐ＝10））であれば、間欠受信制御回路２１において待受用クロックflのクロック数ｎ＝100000として推定される。また、待受用クロックfl＝5.123 ｋHz、フレーム間隔Ｔf'＝１秒の場合に、１フレームのフレームタイミング間隔Ｔflt は、クロック数ｎ＝5123として検出される。ここで、間欠受信間隔が10秒であれば、間欠受信制御回路２１において待受用クロックflのクロック数ｎ＝ 51230として推定される。
【００２３】
間欠受信制御回路２１は、基地局からの送信信号の受信後に間欠受信動作に入る際に受信回路１２の電源をオフとし、次の起動までの時間（受信待受時間）を待受用クロックflでカウントする。実際の受信待受時間は、回路の立ち上がり時間等を考慮し、推定した間欠受信間隔（上記の例では待受用クロックflのクロック数ｎとして100000または51230)よりも短く設定する。例えば、
受信待受期間＝間欠受信間隔−回路の立ち上がり時間ａ−既に受信した時間ｂ        となる。ここで、「既に受信した時間ｂ」とは、フレームタイミング間隔Ｔflt が基地局からの送信信号の先頭で検出されるフレームタイミングflt を基準とし、受信待受期間がフレームタイミング間隔Ｔflt を基準としているのに対して、間欠受信間隔は基地局からの送信信号の受信終了を基準としているために、その信号受信時間に相当する。
【００２４】
図３に示す例では、(1) フレームタイミングflt を検出して１フレームのフレームタイミング間隔Ｔflt(＝(1/fl)＊ｎ）を測定し、(2) １フレームのフレームタイミング間隔Ｔflt から間欠受信間隔Ｔflt＊ｐ(＝(1/fl)＊ｎ＊ｐ）を推定し、(3) 間欠受信間隔に対応する受信待受期間（間欠受信間隔−ａ−ｂ）を待受用クロックflでカウントし、(4) 受信待受期間の経過後の受信起動タイミングで受信回路１２の電源をオンとして受信動作に入り、次のフレームタイミングflt を検出する。
【００２５】
ここで、受信待受期間を待受用クロックflでカウントしている間に、(5) 待受用クロックflを用いて実際の間欠受信間隔、すなわち間欠受信する場合のフレームタイミング間隔Ｔflt を測定する。このときの待受用クロックflのクロック数をｓとする。(6) 次の間欠受信間隔は、１フレームのフレームタイミング間隔Ｔflt を検出してから設定するのではなく、(5) で測定した直近の間欠受信間隔（クロック数ｓ）を用いて設定する。これにより、最も近いタイミングで測定した間欠受信間隔の実測値を次の間欠受信間隔として使用することができ、温度によって待受用クロックflの周波数が変化しても、それによるタイミングの誤差を低減することができる。なお、(2) で推定した間欠受信間隔と、(5) で実測した間欠受信間隔の誤差を求め、次のタイミングにおける間欠受信間隔を補正するようにしてもよい。
【００２６】
ところで、待受用クロックflの１周期(1/fl)が、フレーム間隔Ｔf'の整数分の１でないとき、フレーム間隔Ｔf'の整数ｐ倍と規定される間欠受信間隔に誤差が積算する。例えば、待受用クロックfl＝ 10.0007ｋHz、フレーム間隔Ｔf'＝１秒の場合に、１フレームのフレームタイミング間隔Ｔflt は、クロック数ｎ＝10000 として検出される。ここで、間欠受信間隔が10秒（フレーム間隔の10倍（ｐ＝10））であれば、間欠受信制御回路２１において待受用クロックflのクロック数ｎ＝100000として推定される。しかし、正確にはクロック数ｎ＝100007として推定されるべきである。
【００２７】
この誤差問題を解決するには、１フレームのフレームタイミング間隔Ｔflt から間欠受信間隔を推定するのではなく、複数ｋフレームのフレームタイミング間隔ｋ＊Ｔflt を測定して間欠受信間隔を推定する方法が有効である。図４は、ｋ＝２の場合を示す。すなわち、２フレームのフレームタイミング間隔２Ｔflt の測定から間欠受信間隔を推定する例を示す。
【００２８】
図４において、(1) フレームタイミングflt を検出して２フレームのフレームタイミング間隔２Ｔflt を測定する。このときのクロック数をｎ' とすると、１フレームの平均のクロック数はn'/2となる。(2) ２フレームのフレームタイミング間隔２Ｔflt から間欠受信間隔Ｔflt＊ｐ(＝(1/fl)＊(n'/2)＊ｐ）を推定し、(3) 対応する受信待受期間（間欠受信間隔−ａ−ｂ）を待受用クロックflでカウントし、(4) 受信待受期間の経過後の受信起動タイミングで受信回路１２の電源をオンとして受信動作に入り、次のフレームタイミングflt を検出する。なお、間欠受信間隔の実測値を次の間欠受信間隔として使用する処理は図３の例と同様である。
【００２９】
例えば、待受用クロックfl＝ 10.0007ｋHz、フレーム間隔Ｔf'＝１秒の場合に、２フレームのフレームタイミング間隔２Ｔflt は、クロック数ｎ' ＝20001 クロックとして検出される。ここで、間欠受信間隔が10秒（フレーム間隔の10倍（ｐ＝10））であれば、間欠受信制御回路２１において待受用クロックflのクロック数ｎ＝100005として推定される。正確にはクロック数ｎ＝100007であるが、１フレームのフレームタイミング間隔に基づく場合に比べて精度を上げることができる。一般に、間欠動作に入る前は、無線端末は基地局との認証や接続シーケンス等の通信制御によって複数フレームの受信が行われる。したがって、その複数フレームにわたってフレームタイミング間隔を測定することにより、間欠受信間隔の推定精度を高めることができる。
【００３０】
（第２の実施形態）
図５は、本発明の間欠受信装置の第２の実施形態を示す。
本実施形態は、図１に示す第１の実施形態の無線端末１０に代えて高速クロック（fg）１５を含む無線端末１１を用い、フレームタイミング間隔測定回路２２で測定するフレームタイミング間隔Ｔflt の精度を向上させ、さらに間欠受信制御回路２３で推定する間欠受信間隔の精度を向上させることを特徴とする。
【００３１】
図６(a) は基地局４０の動作例を示し、図６(b) は無線端末１１のフレームタイミング間隔測定回路２２の動作例を示し、１フレームのフレームタイミング間隔Ｔflt の測定過程を示す。
【００３２】
図７は、１フレームのフレームタイミング間隔Ｔflt の測定から間欠受信間隔を推定する場合を示す。図８は、２フレームのフレームタイミング間隔Ｔflt の測定から間欠受信間隔を推定する場合を示す。
【００３３】
フレームタイミング間隔測定回路２２では、フレームタイミング間隔Ｔflt を待受用クロックflでカウントし、クロック数ｎを測定する。さらに、待受用クロックflよりも高い周波数の高速クロックfgを用いて、フレームタイミングflt と待受用クロックflの位相誤差を測定する。ここで、フレームタイミングflt と直後の待受用クロックflとの位相差を高速クロックfgでカウントしたクロック数をm1、次のフレームタイミングflt と直後の待受用クロックflとの位相差を高速クロックfgでカウンタしたクロック数をm2とすると、フレームタイミング間隔Ｔflt は、
Ｔflt ＝(1/fl)＊ｎ＋(1/fg)＊(m1−m2）        …(1) 
となる。
【００３４】
次に、間欠受信間隔をフレームタイミング間隔Ｔflt の整数ｐ倍として推定すると、間欠受信間隔は、
間欠受信間隔＝Ｔflt ＊ｐ
＝(1/fl)＊ｎ＊ｐ＋(1/fg)＊(m1−m2)＊ｐ      …(2) 
となる。この (2)式の第２項について
(1/fg)＊(m1−m2)＊ｐ／(1/fl)＝ｑ        …(3) 
となる整数ｑ（切り捨て、または四捨五入による整数）を定義すると、
間欠受信間隔＝(1/fl)＊(ｎ＊ｐ＋ｑ）     …(4) 
となる。この式で表される間欠受信間隔は、フレームタイミング間隔Ｔflt の整数ｐ倍して累積したフレームタイミングflt と待受用クロックflの位相誤差分を、待受用クロックflのクロック数ｑで補正することを意味する。なお、高速クロックfgを用いない場合は、第１の実施形態に示したように、
間欠受信間隔＝(1/fl)＊ｎ＊ｐ
となり、 (4)式のｑを除いたものとなる。
【００３５】
例えば、待受用クロックfl＝ 10.0007ｋHz、フレーム間隔Ｔf'＝１秒の場合に、１フレームのフレームタイミング間隔Ｔflt は、クロック数ｎ＝10000 として検出される。さらに、fg≒ 100ｋHzの場合、m1＝８、m2＝１が検出される。これにより、間欠受信間隔が10秒（フレーム間隔の10倍（ｐ＝10））であれば、待受用クロックflのクロック数として
(1/fl)＊(ｎ＊ｐ＋ｑ）＝(1/10kHz)*(10000*10+[(1/100kHz)*(8-1)*10/(1/10kHz)]
＝(1/10kHz)*100007
となり、誤差が補正される。
【００３６】
なお、高速クロックfgは、無線端末１１の受信回路１２を処理するクロックと共用化でき、図７および図８に示すように動作期間も受信期間と同じにできる。すなわち、高速クロックfgは、受信回路１２を起動して受信時にフレームタイミングを検出するときのみフレームタイミング間隔測定回路２２で使用し、受信待受期間は電源をオフとして使用しない。したがって、消費電力を増加させることなく、フレームタイミング間隔の測定や間欠受信間隔の推定を高精度に行うことができる。
【００３７】
また、高速クロックfgは、低速クロックflと同期している方が好ましいが、必ずしも同期している必要はない。
【００３８】
また、フレームタイミング間隔Ｔflt の測定には、図７に示すように１フレームのフレームタイミング間隔の測定だけでなく、図８に示すように複数ｋフレームのフレームタイミング間隔を測定することにより、さらに間欠受信間隔の推定精度を高めることができる。図８はｋ＝２の場合を示すが、２フレームのフレームタイミング間隔２Ｔflt を待受用クロックflでカウントしたクロック数をn'、高速クロックfgでカウントしたフレームタイミングflt と待受用クロックflの位相誤差のクロック数を(m1'−m2')とすると、
間欠受信間隔＝Ｔflt ＊ｐ
＝(1/fl)＊n'/2＊ｐ＋(1/fg)＊(m1'−m2')/2＊ｐ    …(2')
となる。この (2') 式の第２項について
(1/fg)＊(m1'−m2')/2＊ｐ/(1/fl)＝ｑ'       …(3')
となる整数ｑ' （ｑ' は切り捨て、または四捨五入による整数）を定義すると、
間欠受信間隔＝(1/fl)＊(n'/2＊ｐ＋ｑ')      …(4')
となる。この式で表される間欠受信間隔は、１フレームの平均のフレームタイミング間隔Ｔflt の整数ｐ倍して累積したフレームタイミングflt と待受用クロックflの位相誤差分を、待受用クロックflのクロック数ｑ' で補正することを意味する。
【００３９】
なお、図７および図８における (1)〜(6) の処理は、第１の実施形態の図３および図４における (1)〜(6) の処理に対応する。特に、待受用クロックflの周波数は、一般に温度によって変動する。間欠受信時において温度変動に対応するため、間欠受信間隔を推定する場合は、できるだけ直前のフレームタイミング間隔の実測値を使用することが有効である。そのためには、間欠受信中においても、常にフレームタイミング間隔の測定を行い、間欠受信間隔の推定値を更新することが重要である。
【００４０】
（第３の実施形態）
間欠受信制御において使用する待受用クロックflや高速クロックfgは、熱伝導特性の低い（熱が伝わりにくい）材質で周囲を覆うことにより、周囲の温度変化に対して発振器または発振子の温度変化を緩やかにすることができる。その方法としては、水晶発振子を覆う部材を熱伝導特性の低い材質にする方法、水晶発振子または水晶発振器を熱伝導特性の低い材質で囲む方法、クロックを搭載する基板やモジュールを熱伝導特性の低い材質で囲む方法がある。熱伝導特性の低い材質としては例えば発砲スチロールがある。
【図面の簡単な説明】
【００４１】
【図１】本発明の第１の実施形態を示す図。
【図２】第１の実施形態のフレームタイミング間隔Ｔflt の測定手順を示す図。
【図３】第１の実施形態の間欠受信間隔の推定手順（１フレーム測定）を示す図。
【図４】第１の実施形態の間欠受信間隔の推定手順（２フレーム測定）を示す図。
【図５】本発明の第２の実施形態を示す図。
【図６】第２の実施形態のフレームタイミング間隔Ｔflt の測定手順を示す図。
【図７】第２の実施形態の間欠受信間隔の推定手順（１フレーム測定）を示す図。
【図８】第２の実施形態の間欠受信間隔の推定手順（２フレーム測定）を示す図。
【図９】従来の間欠受信装置の構成例を示す図。
【符号の説明】
【００４２】
１０，１１  無線端末
１２  受信回路
１３  フレームタイミング検出回路
１４  待受用クロック(fl)
１５  高速クロック(fg)
２０，２２  フレームタイミング間隔測定回路
２１，２３  間欠受信制御回路
４０  基地局
４１  送信回路
４２  基準クロック(fh') 
【図１】
0004558812.tif 000002
【図２】
0004558812.tif 000003
【図３】
0004558812.tif 000004
【図４】
0004558812.tif 000005
【図５】
0004558812.tif 000006
【図６】
0004558812.tif 000007
【図７】
0004558812.tif 000008
【図８】
0004558812.tif 000009
【図９】
0004558812.tif 000010